(57)【要約】【課題】径方向の大形化及び発光素子の温度過昇を抑制しつつ光出力を向上できる発光モジュールを提供する。【解決手段】灯具（発光モジュール）2は、発光部31,41、互に連結された前後の金属ボディ11,21、及びカバー51を具備する。各発光部31,41は、発光部基板32、４２及びこの基板に実装された複数のＬＥＤ（発光素子）33, 44を有する。各ボディ11,21は、発光部31,41が個々に熱伝導可能に固定される受熱壁12,22、及びこれらに連続する放熱部13,23を有する。前側ボディ11の受熱壁12に、後側ボディ21に固定された発光部41が有するＬＥＤに個々に対向する光通孔14ａを設ける。カバー51を前側ボディ11に連結する。カバー51に、後側ボディ21の光通孔に個々に対向する光通孔51a〜51cと、前側ボディ11に固定された発光部31が有する複数のＬＥＤ33に個々に対向する光通孔51ｆ〜51hを設けたことを特徴とする。【選択図】図２
2011070941.tif 000002
【特許請求の範囲】
【請求項１】
発光部基板及びこの基板に実装された複数の発光素子を有する複数の発光部と；
これらの発光部が個々に熱伝導可能に固定される受熱壁及びこの受熱壁に連続する放熱部を有して互に連結された複数の金属製ボディであって、かつ、隣接した前記ボディの内で相対的に光の出射方向に配置されたボディの前記受熱壁が、前記出射方向に配置されたボディに対して反出射方向に配置された他のボディに固定された前記発光部が有する複数の前記発光素子に個々に対向する複数の光通孔を有している前記ボディと；
前記出射方向に配置されたボディを前記他のボディとの間に挟んで前記出射方向に配置されたボディに連結されたカバーであって、前記光通孔に夫々対向する複数の光通孔、及び前記出射方向に配置されたボディに固定された前記発光部が有する複数の前記発光素子に個々に対向する複数の光通孔を有している前記カバーと；
を具備することを特徴とする発光モジュール。
【請求項２】
前記出射方向に配置されたボディが有する前記放熱部をこのボディの周壁が形成しており、前記出射方向に配置されたボディに固定された前記発光部が有した複数の前記発光素子が、前記周壁に寄せて配設されていることを特徴とする請求項１に記載の発光モジュール。
【請求項３】
最も反出射方向に配置された前記他のボディに固定された前記発光部が有する複数の前記発光素子の内の一部が、最も反出射方向に配置された前記他のボディが有した前記受熱壁の中央位置に対応して配設されているとともに、最も反出射方向に配置された前記他のボディが有する前記放熱部が、前記反出射方向に突出する複数の放熱フィンで形成されていて、その内の一部の放熱フィンが、最も反出射方向に配置された前記他のボディが有した前記受熱壁の中央位置を横切るように突設されていることを特徴とする請求項１又は２に記載の発光モジュール。
【請求項４】
互いに連結された前記ボディの内で相対的に光の出射方向に配置されたボディに固定された前記発光部が有する発光素子の数が、前記最も反出射方向に配置された前記他のボディに固定された前記発光部が有する発光素子の数より少ないことを特徴とする請求項３に記載の発光モジュール。
【請求項５】
請求項１から４の内のいずれか一項に記載の発光モジュールを具備することを特徴とする照明器具。
【発明の詳細な説明】
【技術分野】
【０００１】
本発明は、例えばＬＥＤ（発光ダイオード）等の発光素子を複数有する発光モジュール、及びこのモジュールを備えるスポットライト等の照明器具に関する。
【背景技術】
【０００２】
中央部に丸い窓孔が開口されたカバーを、浅い有底円筒状の主部に螺合して被せることで形成される合成樹脂製の器体内に、複数のＬＥＤ素子が実装された円板状の基板と、この基板の前面に配置されるレンズ体とを収納した照明器具が、従来技術として知られている（例えば、特許文献１参照。）。
【０００３】
この照明器具において、基板は単一であり、複数のＬＥＤ素子は所定の配置となるように平面的に並べて基板の一面に実装されている。又、レンズ体は、個々のＬＥＤ素子に対向するレンズ部を有していて、これらレンズ部により各ＬＥＤ素子からの光の配光を制御するように形成されている。
【先行技術文献】
【特許文献】
【０００４】
【特許文献１】特開２００２−３０４９０３号公報
【発明の概要】
【発明が解決しようとする課題】
【０００５】
特許文献１の照明器具で、その光出力を高めることが要請される場合、ＬＥＤ素子の使用数を増やすことで対応できる。しかし、特許文献１の照明器具では、既述のように単一の基板上に複数のＬＥＤ素子を平面的に並べて実装しているので、ＬＥＤ素子を増やすためには、基板を大きくする必要がある。したがって、照明器具が径方向に大形になることは避けられない。
【０００６】
又、ＬＥＤ素子は、その発光に伴い発熱するが、こうした熱を器体の外部に放出する技術は、特許文献１には何ら記載されていない。特に、特許文献１の照明装置は、基板が収納された器体が合成樹脂製であるので、この器体を利用しての放熱性能が低く、そのため、ＬＥＤ素子の温度が上がり易く、それに伴いＬＥＤ素子の発光性能及び寿命の低下を来たし易い。こうした不具合は、特許文献１の照明器具で、基板上に実装されるＬＥＤ素子の数を増やすほど、一層顕著になる。
【０００７】
したがって、特許文献１の照明器具は、径方向の大形化及び発光素子の温度過昇を抑制しつつ光出力を向上するには適していない、という課題がある。
【課題を解決するための手段】
【０００８】
前記課題を解決するために、請求項１の発明の発光モジュールは、発光部基板及びこの基板に実装された複数の発光素子を有する複数の発光部と；これらの発光部が個々に熱伝導可能に固定される受熱壁及びこの受熱壁に連続する放熱部を有して互に連結された複数の金属製ボディであって、かつ、隣接した前記ボディの内で相対的に光の出射方向に配置されたボディの前記受熱壁が、前記出射方向に配置されたボディに対して反出射方向に配置された他のボディに固定された前記発光部が有する複数の前記発光素子に個々に対向する複数の光通孔を有している前記ボディと；前記出射方向に配置されたボディを前記他のボディとの間に挟んで前記出射方向に配置されたボディに連結されたカバーであって、前記光通孔に夫々対向する複数の光通孔、及び前記出射方向に配置されたボディに固定された前記発光部が有する複数の前記発光素子に個々に対向する複数の光通孔を有している前記カバーと；を具備することを特徴としている。
【０００９】
この発明で、発光部基板には、単層又は積層されてなる合成樹脂や無機材料製の絶縁基板、或いは金属のベースの片面に絶縁層が積層された金属ベース基板等を用いることができる。この発明で、発光素子には、半導体発光素子、例えばＬＥＤ（発光ダイオード）やＥＬ（エレクトロルミネセンス）素子等を用いることができる。発光素子がＬＥＤの場合、ＳＭＤ（表面実装型）のＬＥＤやベアチップからなるＬＥＤ等を用いることができる。
【００１０】
この発明で、ボディの最小使用数は二個であるが、それ以上使用することが可能であり、これら複数のボディは前後方向又は上下方向等に隣接させて互いに連結することができる。この発明で、ボディをなす金属材料にはアルミニウム合金を好適に使用できる。これとともに、ボディの受熱壁と放熱部は、一体に成形することが好ましいが、互に別成形されたものを、接着、溶接、ねじ止め等により一体化してもよい。この発明で、受熱壁の形状は円形に制約されるものではなく、角形であってもよく、したがって、この発明で径方向の大きさとはボディの長手方向と直交する方向の大きさを指している。
【００１１】
この発明で、カバーは、合成樹脂製でも差し支えないが、金属製例えばアルミニウム合金製とすることが、このカバーからも放熱ができるようになる点で好ましい。
【００１２】
請求項１の発明では、必要とする数の発光素子の全てを、同一平面上に並べるのではなく、複数のボディに支持された発光部基板に分けて配設したので、発光モジュールが径方向に大きくなることを抑制しつつ、光出力を高める上で必要な数の発光素子を使用できる。これとともに、各ボディの並びに沿って各発光素子から出射された光は、その発光素子に対して光の出射方向に配置されているボディ又はカバーの光通孔を通って、照明等に利用される。又、互に連結された複数のボディを備え、夫々のボディで放熱部を確保したので、発光モジュール全体での放熱面積を増やすことができる。各ボディの受熱壁はそこに固定された発光部の発光素子が発した熱を受け取り、この熱は、更に受熱壁から放熱部に伝導してこの放熱部から外部に放出される。このため、各発光素子の温度過昇が抑制される。
【００１３】
したがって、請求項１の発明によれば、径方向の大形化及び発光素子の温度過昇を抑制しつつ光出力を向上できる発光モジュールを提供できる、という効果がある。
【００１４】
請求項２の発明の発光モジュールは、請求項１において、前記出射方向に配置されたボディが有する前記放熱部をこのボディの周壁が形成しており、前記出射方向に配置されたボディに固定された前記発光部が有した複数の前記発光素子が、前記周壁に寄せて配設されていることを特徴としている。
【００１５】
この請求項２の発明では、発光素子が放熱部をなすボディの周壁の近くに配置されているので、発光素子が発した熱を速やかにボディの周壁に伝導させて外部に放出でき、これにより、放熱性能をより向上できる利点がある。
【００１６】
請求項３の発明の発光モジュールは、請求項１又は２において、最も反出射方向に配置された前記他のボディに固定された前記発光部が有する複数の前記発光素子の内の一部が、最も反出射方向に配置された前記他のボディが有した前記受熱壁の中央位置に対応して配設されているとともに、最も反出射方向に配置された前記他のボディが有する前記放熱部が、前記反出射方向に突出する複数の放熱フィンで形成されていて、その内の一部の放熱フィンが、最も反出射方向に配置された前記他のボディが有した前記受熱壁の中央位置を横切るように突設されていることを特徴としている。
【００１７】
この請求項３の発明では、最も反出射方向に配置されたボディの放熱フィンからなる放熱部で、このボディの受熱壁に移動してくる発光素子からの熱を外部に放出できるので、前記ボディの受熱壁の中央位置に対応して配設された発光素子を含めて全ての発光素子の温度過昇を抑制できる利点がある。
【００１８】
請求項４の発明の発光モジュールは、請求項３において、互に連結された前記ボディの内で相対的に光の出射方向に配置されたボディに固定された前記発光部が有する発光素子の数が、前記最も反出射方向に配置された前記他のボディに固定された前記発光部が有する発光素子の数より少ないことを特徴としている。
【００１９】
最も反出射方向に配置されたボディ（ここでは便宜上前者のボディと称する。）が放熱フィンで放熱部を担っているのに対し、このボディに対して出射方向に隣接したボディ（ここでは便宜上後者のボディと称する。）はその周壁で放熱部を担っているので、前者のボディの放熱性能より後者のボディの放熱性能の方が低い。そのため、これらのボディに分担して配設される発光素子の数を請求項４の発明のようにしたことにより、夫々のボディに対して異なる数の発光素子を夫々のボディの放熱性能に適合させて配設できる利点がある。
【００２０】
請求項５の発明の照明器具は、請求項１から４の内のいずれか一項に記載の発光モジュールを具備することを特徴としている。
【００２１】
この請求項５の発明では、請求項１から４の内のいずれかの発光モジュールを具備したので、径方向の大形化及び発光素子の温度過昇を抑制しつつ光出力を向上できる発光モジュールを備えた照明器具を提供できる、という効果がある。
【発明の効果】
【００２２】
請求項１の発明の発光モジュールによれば、径方向の大形化及び発光素子の温度過昇を抑制しつつ光出力を向上できる、という効果がある。
【００２３】
請求項２の発明の発光モジュールによれば、請求項１の発明において、更に、放熱性能がより向上されて発光素子の温度過昇を抑制できる、という効果がある。
【００２４】
請求項３の発明の発光モジュールによれば、請求項１又は２の発明において、更に、最も反出射方向に配置されたボディの受熱壁の中央位置に対応して配設された発光素子の温度過昇を抑制できる、という効果がある。
【００２５】
請求項４の発明の発光モジュールによれば、請求項３の発明において、更に、夫々のボディに対して異なる数の発光素子を夫々のボディの放熱性能に適合させて配設できる利点がある、という効果がある。
【００２６】
請求項５の発明によれば、径方向の大形化を抑制しつつ光出力を向上できる発光モジュールを備えた照明器具を提供できる、という効果がある。
【図面の簡単な説明】
【００２７】
【図１】本発明の一実施の形態に係るスポットライトを示す側面図である。
【図２】図１のスポットライトを示す断面図である。
【図３】図１のスポットライトの灯具を示す斜視図である。
【図４】図３の灯具が備えるカバーを後側から見て示す斜視図である。
【図５】図３の灯具が備える前側ボディをこれに装着された前側発光部とともに前側から見て示す斜視図である。
【図６】図３の灯具が備える前側ボディを後側から見て示す斜視図である。
【図７】図１のスポットライトをその後側ボディが外された状態で示す後面図である。
【図８】図３の灯具が備える後側ボディをこれに装着された後側発光部とともに前側から見て示す斜視図である。
【図９】図１のスポットライトの後側ボディと前後の発光部との関係を示す下面図である。
【発明を実施するための形態】
【００２８】
以下、図１〜図９を参照して本発明の一実施の形態について、詳細に説明する。
【００２９】
図１及び図２中符号１は照明器具、例えば投光器、具体的にはスポットライトを示している。このスポットライト１は、発光モジュール例えば灯具２と、取付け具３とを備えている。灯具２は取付け具３に支持されている。
【００３０】
取付け具３は、図７に示すように例えば略逆Ｕ字状に形成された吊りアーム４の上端部に電源側接続部５を有し、かつ、一対の下端部に夫々灯具接続部６を有している。電源側接続部５は図示しない設置部に取付けられる。図示しない設置部とは、例えば天井のローゼットやライティングレール又は支柱等である。灯具接続部６は灯具２の外周部の例えば略１８０°隔たった後述の連結部１６に連結されている。これらの連結部１６を中心に灯具２は上下方向に回動可能で、かつ、灯具接続部６と連結部１６との間には、灯具２を任意の回動位置で静止状態を保持するための摩擦係合力を与えられている。
【００３１】
灯具２は、複数のボディ例えば前側ボディ１１及び後側ボディ２１と、複数の前記ボディと同数であって、互に間隔を置いて例えば前後に並設される前側発光部３１及び後側発光部４１と、カバー５１と、複数の第１の配光制御部品６１と、複数の第２の配光制御部品６５等を具備している。
【００３２】
後述のように互に連結される前後のボディの内で相対的に前に位置する前側ボディ１１は、各発光部３１，４１から出射される光の出射方向に配置され、同様に相対的に後に位置する後側ボディ２１は、各発光部３１，４１から出射される光の出射方向と反対方向、つまり反出射方向に配置される。更に、本実施形態の場合、前後に配置されるボディの内で後側ボディ２１は、最も反出射方向に配置されるボディでもある。
【００３３】
前側ボディ１１は金属例えばアルミニウム合金の一体成型品である。図２、図５〜図７に示すように前側ボディ１１は、受熱壁１２（以下識別を容易にするために前側受熱壁と称する。）、及びこれに一体に連続した放熱部をなす周壁１３を有している。前側受熱壁１２を正面から見た形状は例えば円形である。この前側受熱壁１２に複数例えば５個の光通孔１４ａ〜１４ｅが設けられている。これら光通孔１４ａ〜１４ｅが開口された前側受熱壁１２の正面（前面）は平らな受熱面となっている。
【００３４】
図５及び図７に示すように光通孔１４ａは、前側受熱壁１２の中央部に開口され、残りの光通孔１４ｂ〜１４ｅは、光通孔１４ａと周壁１３との間、好ましくは光通孔１４ａよりも周壁１３に寄せて開口されている。これら光通孔１４ｂ〜１４ｅは前側受熱壁１２の周方向に等間隔に設けられている。
【００３５】
前側ボディ１１の周壁１３は円筒形状であり、その前端部１３ａ（図２及び図５参照）は前側受熱壁１２の正面より前側に突出されている。前端部１３ａ以外の周壁１３部位は、前端部１３ａより遥かに長く前側受熱壁１２の後側に延びていて、その後部は９０°毎に緩やかな曲線をもって凸凹に連続されている（図６参照）。この後部の形状によって、後述する各放熱フィン２３ａ内でこれらの並び方向の端側に位置された放熱フィン２３ａが、周壁１３からより多く突出されるようになっている。
【００３６】
図６及び図７に示すように前側ボディ１１には、その前側受熱壁１２の背面（後面）と周壁１３の内周面にわたる複数の連結部１６が一体に形成されている。これら連結部１６は光通孔１４ｂ〜１４ｅと交互に設けられている。各連結部１６は、ねじ受けボス部１６ａを有している。
【００３７】
各連結部１６の内で１８０°離された一対の連結部１６は、更に凹部１６ｂを有している。凹部１６ｂを有した一対の連結部１６は、前側ボディ１１を後方から見て周壁１３の後端が前側に凹んだ部分に対応して設けられている。これら一対の連結部１６の凹部１６ｂが臨んだ周壁１３の部位の夫々に、図３及び図５に示すように周壁表面に開放する浅い溝１６ｃが形成されているとともに、この溝１６ｃに連通する連結孔１７が開けられている。
【００３８】
これら一対の連結孔１７（一方のみ図示）は水平な同一軸線（図示しない）上に位置されている。前記灯具接続部６は、連結孔１７を通る図示しない取付け軸と、凹部１６ｂに嵌合されて回らないように保持されて前記取付け軸が螺合されるナット部材（図示しない）を用いて、周壁１３に既述のように接続されている。
【００３９】
後側ボディ２１も金属例えばアルミニウム合金の一体成型品である。図２、図８、及び図９に示すように後側ボディ２１は、受熱壁２２（以下識別を容易にするために後側受熱壁と称する。）及びこれに一体に連続した放熱部２３を有している。後側受熱壁２２を正面から見た形状は例えば円形であり、この後側受熱壁２２の正面（前面）は平らな受熱面となっている。
【００４０】
放熱部２３は後側受熱壁２２の背面（後面）から一体に突出された複数の放熱フィン２３ａで形成されている。各放熱フィン２３ａは、互いに略平行で、かつ、前記一対の連結孔１７を通る図示しない水平な軸線に対して直交する方向に延びている。したがって、図１に示すように灯具２が横向きに静止している状態では、各放熱フィン２３ａは後方向（後側受熱壁２２の背面から遠ざかる方向）に突出されていて、隣接した放熱フィン２３ａ間の隙間は、図９に示すように上下方向及び後方向に夫々開放されている。
【００４１】
各放熱フィン２３ａの突出長さは、同じではなく、それらの突出端を結んだ形が、後方に向けて凸となる円弧形状を形成するように設けられている（図９参照）。言い換えれば、各放熱フィン２３ａの並び方向中央部に位置される放熱フィン２３ａの突出長さが最も長く、これらから前記並び方向両端に位置される放熱フィン２３ａ程次第に突出長さが短くなっている。
【００４２】
このように放熱フィン２３ａを設けることは、例えば放熱フィン２３ａの突出方向が上向きとなる姿勢で灯具２が使用される場合、前記円弧形状に沿った上昇気流を形成し易い。それにより、各放熱フィン２３ａからの放熱性能をより向上できる利点がある。
【００４３】
更に、各放熱フィン２３ａの突出方向に直交する方向の長さは、図１に示すように各放熱フィン２３ａの並び方向両端に位置される放熱フィン２３ａから、並び方向中央部に位置される放熱フィン２３ａ程次第に長く形成されている。それにより、前記長さが延びる方向の側縁を結んだ形が、例えば図１の状態で上向き又は下向きに凸となる円弧形状を形成するように設けられている。
【００４４】
こうした工夫においても、灯具２が図１の状態又はこれに対して１８０°上下に反転された状態で、既述の突出方向の工夫と同様に前記円弧形状に沿った上昇気流を形成し易いので、各放熱フィン２３ａからの放熱性能をより向上できる利点がある。
【００４５】
以上の説明から明らかなように各放熱フィン２３ａの内で、これら放熱フィン２３ａの並び方向中央部に位置された放熱フィン２３ａ（図面上で識別する必要がある場合は符号２３ｂを括弧書で併記する。）は、その突出長さも、突出方向に直交する方向の長さも最大である。これら放熱面積が最大の放熱フィン２３ｂは、図９に示すように後側受熱壁２２の中央位置を、後側受熱壁２２の径方向に沿って横切るように突設されている。
【００４６】
後側ボディ２１の最大径は、前側ボディ１１の周壁１３の内径より小さい。図２に示すように後側ボディ２１の前部は周壁１３内に収容されていて、この状態で後側受熱壁２２を通ってねじ受けボス部１６ａに個別にねじ込まれた複数の連結ねじ２５で、前後に並んだ前側ボディ１１と後側ボディ２１が連結されている。なお、図７中符号２６は後側ボディ２１のねじ通孔を示している。後側ボディ２１の放熱部２３をなした放熱フィン２３ａ，２３ｂの大部分は周壁１３外に突出されている。
【００４７】
前側発光部３１は、図５及び図９に示すように前側発光部基板３２と、複数の発光素子例えば白色発光をするＳＭＤ型の前側ＬＥＤ３３を有している。前側発光部３１が有する前側ＬＥＤ３３の数は、後述する後側発光部４１が有するＬＥＤの数より少ない。
【００４８】
前側発光部基板３２は、金属ベース基板からなり、例えば図５に示すように十字形状をなしている。前側ＬＥＤ３３は、所定間隔を置いて具体的には前側発光部基板３２が有した四個の端部に夫々実装されている。
【００４９】
前側発光部３１は、その前側発光部基板３２の金属ベースを、前側ボディ１１の前側受熱壁１２の正面に面接触させて、この前側受熱壁１２に複数の図示しないねじを用いて固定されている。各ねじは前側ＬＥＤ３３の両側近傍で前側発光部基板３２を前側受熱壁１２に固定していて、前側発光部基板３２の前側受熱壁１２ヘの密接性を高めている。こうした固定により、前側発光部３１は前側受熱壁１２に熱伝導可能に設けられている。更に、前記固定により、各前側ＬＥＤ３３は、前記光通孔１４ｂ〜１４ｅと同様に光通孔１４ａよりも周壁１３に寄って配設されている。
【００５０】
なお、図２及び図８中符号３４はコネクタを示しており、このコネクタ３４は前側発光部基板３２に装着されている。このコネクタ３４は、前側発光部基板３２に形成された配線パターン（図示しない）等を経由して前側ＬＥＤ３３に接続されている。各前側ＬＥＤ３３は電気的に直列に接続されている。
【００５１】
後側発光部４１は、図５及び図９に示すように後側発光部基板４２と、複数の発光素子例えば白色発光をするＳＭＤ型の後側ＬＥＤ４３，４４を有している。後側ＬＥＤ４３，４４の合計数は、前側ＬＥＤ３３の数より多い。
【００５２】
後側発光部基板４２は、金属ベース基板からなり、例えば図８に示すように十字形状をなしている。４個の後側ＬＥＤ４３は、所定間隔を置いて具体的には後側発光部基板４２が有した四個の端部に夫々実装されている。１個の後側ＬＥＤ４４は後側発光部基板４２
の中央部に実装されている。したがって、中央位置の後側ＬＥＤ４４は他の４個の後側ＬＥＤ４３で囲まれるように設けられているとともに、この後側ＬＥＤ４４は後側受熱壁２２の中央部に対応して配設されている。
【００５３】
後側発光部４１は、その後側発光部基板４２の金属ベースを、後側ボディ２１の後側受熱壁２２の正面に面接触させて、この後側受熱壁２２に複数の図示しないねじを用いて固定されている。この場合、灯具２を正面から見て、前側発光部３１の各端部と後側発光部４１の各端部が互に重なることなく４５度ずれるように、後側発光部４１が後側受熱壁２２に固定されている。各ねじは後側ＬＥＤ４３の両側近傍で後側発光部基板４２を後側受熱壁２２に固定していて、後側発光部基板４２の後側受熱壁２２ヘの密接性を高めている。
【００５４】
こうした固定により、後側発光部４１は後側受熱壁２２に熱伝導可能に設けられている。更に、前記固定により、４個の後側ＬＥＤ４３が、前記光通孔１４ｂ〜１４ｅに対して個別にそれらの後側から対向して配設されるとともに、１個の後側ＬＥＤ４４が、前記光通孔１４ａにその後側から対向して配設される。
【００５５】
なお、図９中符号４５，４６はコネクタを示しており、これらのコネクタ４５，４６は後側発光部基板４２に装着されている。コネクタ４５は、後側発光部基板４２に形成された配線パターン（図示しない）等を経由して後側ＬＥＤ４３，４４に接続されている。各後側ＬＥＤ４３，４４は電気的に直列に接続されている。コネクタ４６は、前側発光部基板３２と後側発光部基板４２とを電気的に直列接続するために用いられている。したがって、通電に伴い複数の前側ＬＥＤ３３と複数の後側ＬＥＤ４３，４４は同時に発光する。
【００５６】
カバー５１は金属製例えばアルミニウム合金の一体成型品からなる。図３及び図４に示すようにカバー５１は例えば円形の光通孔５１ａ〜５１ｉを有しており、これらの数は各発光部が有した発光素子の合計数と同数である。
【００５７】
光通孔５１ａは、カバー５１の中央部に円筒状に設けられていて、このカバー５１が前側ボディ１１に連結されることにより、前記光通孔１４ａに連続しこの光通孔１４ａを通して後側ＬＥＤ４４に対向される。光通孔５１ｂ〜５１ｉは、円筒状であり、光通孔５１ａの周りに一定間隔で設けられている。光通孔５１ｂ〜５１ｅは、カバー５１が前側ボディ１１に連結されることにより、前側ボディ１１の光通孔１４ｂ〜１４ｅに個別に連続し、これらの光通孔１４ｂ〜１４ｅを通して後側ＬＥＤ４３に個別に対向される。光通孔５１ｆ〜５１ｉは、カバー５１が前側ボディ１１に連結されることにより、前側ＬＥＤ３３に個別に対向される。
【００５８】
図２及び図４に示すようにカバー５１は複数のねじ受けボス部５３を有している。これらねじ受けボス部５３はカバー５１の周方向に例えば９０°間隔で設けられている。カバー５１の後端部に嵌合段部５４が形成されている。
【００５９】
カバー５１は、その嵌合段部５４の外周を前側ボディ１１の前端部１３ａの内周に嵌合させた状態で、前側受熱壁１２を通って各ねじ受けボス部５３に個別にねじ込まれる複数の連結ねじ（図示しない）により、前側ボディ１１にその前側から連結されている。なお、図５〜図７中符号１５は前側ボディ１１のねじ通孔を示している。
【００６０】
嵌合段部５４の外周面と前端部１３ａの内周面は面接触している。それにより、前側ボディ１１の熱がカバー５１に伝導されて、このカバー５１からも放熱できるようになっている。
【００６１】
第１の配光制御部品６１と第２の配光制御部品６５は例えばレンズからなる。
【００６２】
図２に示すように第１の配光制御部品６１は、前側ボディ１１の前側受熱壁１２とカバー５１との間に挟着されている。各第１の配光制御部品６１は、前側ＬＥＤ３３を個別に覆って設けられているとともに、それらの前端部（光出射端部）はカバー５１の光通孔５１ｆ〜５１ｉに個別に嵌合されている。したがって、複数の第１の配光制御部品６１は、光通孔５１ｆ〜５１ｉを個別に閉じて設けられている。
【００６３】
図２に示すように第２の配光制御部品６５は、前側受熱壁１２と後側ボディ２１の後側受熱壁２２との間に挟着されている。各第２の配光制御部品６５は、後側ＬＥＤ４３，４４を個別に覆って設けられているとともに、それらの前端部（光出射端部）は前側受熱壁１２の光通孔１４ａ〜１４ｅに個別に嵌合されている。したがって、複数の第２の配光制御部品６５は、光通孔１４ａ〜１４ｅを個別に閉じている。
【００６４】
前記スポットライト１の点灯状態で後側ＬＥＤ４３から出射された光は、前側ボディ１１の中央位置の光通孔１４ａ及びこの前側に連続したカバー５１の光通孔５１ａを通って光の利用方向に出射される。同様に、複数の後側ＬＥＤ４３から出射された光は、前側ボディ１１の周部位置の光通孔１４ｂ〜１４ｅ及びこの前側に個別に連続したカバー５１の光通孔５１ｂ〜５１ｅを通って光の利用方向に出射される。複数の前側ＬＥＤ３３から出射された光は、カバー５１の光通孔５１ｆ〜５１ｉを通って光の利用方向に出射される。こうして出射される夫々の光は、灯具２に支持された複数の第１の配光制御部品６１又は複数の第２の配光制御部品６５を透過するので、照射野に対する所望の配光制御が行われる。
【００６５】
このスポットライト１では、その光出力を高めて照明視野に所望の明るさを得るために必要とする数のＬＥＤ３３，４３．４４が、前後に並設された前側ボディ１１と後側ボディ２１に個別に装着された前側発光部３１の前側発光部基板３２と、後側発光部４１の後側発光部基板４２に分けて配設されている。言い換えれば、スポットライト１の図示しない中心線（つまり、光軸）に沿って間隔を置いて配設された複数の発光部基板に、複数のＬＥＤが分けて設けられている。
【００６６】
このように光出力を高める上で必要とする数のＬＥＤ３３，４３．４４の全てを、同一平面上に並べるのではなく、光軸に沿って間隔的に配置された前側発光部基板３２と後側発光部基板４２に配設したので、ＬＥＤの配置を原因として、各発光部基板及びこれを備えたスポットライト１の灯具２が径方向に大きくなることを抑制できる。
【００６７】
更に、以上のように複数の金属製ボディ例えば前側ボディ１１と後側ボディ２１を並設したことで、これら前側ボディ１１と後側ボディ２１の夫々で放熱部を確保できる。つまり、前側ボディ１１はその円形の周壁１３を放熱部として利用でき、更に、この前側ボディ１１に熱伝導可能に連結された金属製のカバー５１も放熱部として利用できるとともに、後側ボディ２１は、前側ボディ１１に対して後方へ突出する複数の放熱フィン２３ａからなる放熱部２３を有している。したがって、スポットライト１の放熱面積を増やすことができる。
【００６８】
スポットライト１が点灯された状態での放熱は以下のように行われる。前側ボディ１１に固定された前側発光部３１のＬＥＤ３３が発する熱は、前側発光部基板３２から前側ボディ１１の前側受熱壁１２に伝導され、更にこの前側受熱壁１２から周壁１３に伝導し、この周壁１３の外周面から外部に放出される。
【００６９】
しかも、この場合、後側ボディ２１に対して出射方向に配置された前側ボディ１１の放熱部をなす周壁１３の近くに寄せて、前側発光部３１が有した複数のＬＥＤ３３が配設されているため、これらＬＥＤ３３が発した熱は、速やかに周壁１３に伝導して外部に放出される。そのため、前側ボディ１１からの放熱性能をより向上できる。加えて、前側ボディ１１の熱は、カバー５１にも伝導されて、このカバー５１の表面からも外部に放出される。
【００７０】
又、後側ボディ２１に固定された後側発光部４１のＬＥＤ４３，４４が発する熱は、後側発光部基板４２から後側ボディ２１の放熱部２３に伝導され、更にこの放熱部２３から外部に放出される。
【００７１】
すなわち、この場合、放熱部２３は、後側ボディ２１の周壁ではなく複数の放熱フィン２３ａからなるので、放熱面積を大きく確保できる。そして、これら放熱フィン２３ａにより、後側ボディ２１の後側受熱壁２２に移動してくるＬＥＤ４３，４４からの熱が外部に放出される。
【００７２】
その上、一部の放熱フィン、つまり、中央位置の放熱フィン２３ｂが後側受熱壁２２の中央位置を横切るように突設されているので、後側ボディ２１が有した後側受熱壁２２の中央位置に対応して配設されたＬＥＤ４４の熱を、主として放熱フィン２３ｂにより後側ボディ２１の外部に放出できる。これにより、周囲を複数のＬＥＤ４３で囲まれるように位置されているＬＥＤ４４の温度過昇を抑制できる。
【００７３】
既述のように前記構成のスポットライト１では、後側ボディ２１が放熱フィン２３ａで放熱部２３を担っているのに対し、前側ボディ１１はその周壁１３で放熱部を担っているので、前側ボディ１１の放熱性能は後側ボディ２１の放熱性能より低い。これに応じて、前側ボディ１１に固定された前側発光部３１が有するＬＥＤ３３の数を、後側ボディ２１に固定された後側発光部４１が有するＬＥＤ４３，４４の数より少なくしてある。これにより、前側ボディ１１と後側ボディ２１に分担して配設されるＬＥＤを夫々のボディの放熱性能に適合させることができる。
【００７４】
前記構成の灯具２及びこれを備えたスポットライト１は、以上のような放熱ができることにより、既述のようにＬＥＤの搭載数が多くそれに応じて光出力が向上されているにも拘らず、以上の放熱により、各ＬＥＤ３３，４３，４４の温度過昇が抑制されて、これらの発光出力の低下及び寿命の低下などを抑制できる。したがって、前記灯具２及びこれを備えたスポットライト１によれば、径方向の大形化及びＬＥＤの温度過昇を抑制しつつ光出力を向上できる。
【００７５】
既述のように光軸上に連続して並設された複数のボディで放熱するので、後側ボディ２１の放熱部２３をなす放熱フィン２３ａの突出長さを過大に長くする必要がない。そのため、アルミダイキャストにより一体成形される後側ボディ２１の成形性を向上できるとともに、後側ボディ２１の表面に施される塗装が、隣接した放熱フィン２３ａ間の隅々まで行き届き易いので、塗装不良を生じ難い点でも好ましい。
【００７６】
更に、スポットライト１は、その灯具２を支持する取付け具３を有し、取付け具３が有した吊りアーム４の灯具接続部６が灯具２の前側ボディ１１に接続されている。そのため、前側ボディ１１の周部に灯具接続部６との連結を担う連結部１６が設けられている。この場合、既述のように灯具２の径方向の大形化が抑制されているにも拘らず、ＬＥＤが灯具２の前部と後部に分けて配設されており、しかも、前側ボディ１１には後側ボディ２１に支持された後側ＬＥＤ４３，４４の総数よりも少ない数のＬＥＤ３３が支持されている。したがって、前側ボディ１１の周壁１３に寄せて設けられているＬＥＤ３３相互間に、連結部１６を設けるのに十分かスペースを確保できるので、灯具２と取付け具３との連結部１６が、灯具２の径方向の大形化が促進する因子となることがない。
【００７７】
又、既述のように前側ボディ１１と後側ボディ２１とを連結したスポットライト１は、前後方向に長く形成されることに加えて、後側ボディ２１の放熱フィン２３ａが先細りの凸状をなして後方に突出されている。したがって、灯具２の外観形状は、円柱の両端を切り落としたような形態ではなく、後方に向けて先細りとなる略砲弾形状となるので、スポットライト１としての体裁上好ましい。
【００７８】
本発明は前記一実施形態には制約されない。例えば、複数の配光制御部材は省略できるとともに、これら配光制御部材を用いる場合、その全てをカバーに支持させても良く、或いはカバーを透光性の成形体としてこれに一体に形成することも可能である。更に、本発明は、スポットライトに実施を制約されるものではなく、天井に埋め込み設置されるダウンライトにも適用可能である。この場合、灯具は首振りができないように固定されていてもよく、或いは、投光方向を任意に変更できるように灯具がこれを支持した取付け具の灯具接続部を支点として首振り（回動）できるように設けられていても良い。
【符号の説明】
【００７９】
１…スポットライト（照明器具）、２…灯具（発光モジュール）、１１…前側ボディ、１２…前側受熱壁（前側ボディの受熱壁）、１３…周壁（前側ボディの放熱部）、１４ａ〜１４ｅ…（前側ボディの光通孔）、２１…後側ボディ、２２…後側受熱壁（後側ボディの受熱壁）、２３…後側ボディの放熱部、２３ａ…放熱フィン、２３ｂ…中央部の放熱フィン、３１…前側発光部、３２…前側発光部基板、３３…前側ＬＥＤ（発光素子）、４１…後側発光部、４２…後側発光部基板、４３…後側ＬＥＤ（発光素子）、４４…中央部の後側ＬＥＤ（発光素子）、５１…カバー、５１ａ〜５１ｉ…カバーの光通孔
【図１】
2011070941.tif 000003
【図２】
2011070941.tif 000004
【図３】
2011070941.tif 000005
【図４】
2011070941.tif 000006
【図５】
2011070941.tif 000007
【図６】
2011070941.tif 000008
【図７】
2011070941.tif 000009
【図８】
2011070941.tif 000010
【図９】
2011070941.tif 000011